(57)【要約】      （修正有）【課題】頭から外れ難いハンズフリーマイクを提供する。【解決手段】頭に掛けるヘッドアーム２の両端に顔の左右側面に当接する左側電気ボックス３及び右側電気ボックス４を設け、左側電気ボックスにはマイクアーム６を介してマイク５を設置するとともに、左側方の指向特性と、前方の指向特性を合わせた指向特性を有する左側赤外発光部１０を装備し、右側電気ボックスには右側方の指向特性と後方の指向特性を合わせた指向特性を有する右側赤外発光部２０を装備した。更に、マイク入力された音声に基づき搬送波を変調した変調搬送波信号で前記２つの赤外発光部を駆動する電気回路を、左側電気ボックスに装備した。赤外発光部を顔の左右に分けて配設したので、片側が偏って重くなったり、重心が高くなるのを回避でき、頭から外れ難くなる。【選択図】図１
0003187725.tif 000002
【実用新案登録請求の範囲】
【請求項１】
マイク入力された音声を赤外線搬送波に乗せて周囲に放射する赤外発光部を備えたハンズフリーマイクであって、
赤外発光部を顔の両側に分けて配設したこと、
を特徴とするハンズフリーマイク。
【請求項２】
頭に掛けるヘッドアームの両端に顔の左右側面に当接する左側の電気ボックス及び右側の電気ボックスを設け、
一方の電気ボックスに直接またはマイクアームを介してマイクを設置し、
左側の電気ボックスに左側方の指向特性と、前方（または後方）の指向特性を合わせた指向特性を有する左側赤外発光部を装備し、
右側の電気ボックスに右側方の指向特性と、後方（または前方）の指向特性を合わせた指向特性を有する右側赤外発光部を装備し、
更に、マイク入力された音声に基づき搬送波を変調した変調搬送波信号で前記２つの赤外発光部を駆動する電気回路を、前記２つの電気ボックスの一方に装備するか、または両方の電気ボックスに回路を分けて装備したこと、
を特徴とするハンズフリーマイク。
【請求項３】
左側赤外発光部は左側方の指向特性と、前方及び後方の指向特性を合わせた指向特性を有するようにし、
右側赤外発光部は右側方の指向特性と、前方及び後方の指向特性を合わせた指向特性を有するようにしたこと、
を特徴とする請求項２記載のハンズフリーマイク。
【請求項４】
ヘッドアームの内、電気ボックス近くに耳掛け部を設けたこと、
を特徴とする請求項２または３記載のハンズフリーマイク。
【考案の詳細な説明】
【技術分野】
【０００１】
本考案はハンズフリーマイクに係り、とくに赤外線ワイヤレス式のハンズフリーマイクに関する。
【背景技術】
【０００２】
カラオケでは赤外線ワイヤレス式のマイクが広く使用されている。このマイクは例えば実用新案登録第３０２５２３３号に開示されている如く、筒状のグリップの上端部に収音部、下端部に全方位的指向性を有する発光ダイオード群を備えており、収音部で拾った音声信号に基づき搬送波を変調した変調搬送波信号により発光ダイオード群を同時駆動し、全方位的指向性の赤外線信号を放射するようにしてある。
ところが近年は、手や体を使って踊りながら歌うカラオケ曲が増えてきており、手に持つタイプのマイクでは手や体を動かしながら歌うことができない不自由があった。
この問題を解決するため、特開平１１−９８５８９号に示すヘッドセットにマイクと赤外線発光部を設けた赤外線ワイヤレスヘッドセットマイクが提案されている。この考案は耳当て部から上方へ支柱部材を突設し、この支柱部材の上部に多数の赤外発光素子を角度を変えて配設したものである。
けれども、特開平１１−９８５８９号の考案では、顔の左耳側にマイク、支柱部材、赤外線発光部の重量が偏って掛かること、及び赤外線発光部が頭の上方に突設されているため重心が高くなっていることから、バランスが悪く頭から外れ易い欠点があった。
【先行技術文献】
【特許文献】
【０００３】
【特許文献１】実用新案登録第３０２５２３３号
【特許文献１】特開平１１−９８５８９号
【考案の概要】
【考案が解決しようとする課題】
【０００４】
本考案は上記した従来技術の問題に鑑みなされたもので、頭から外れ難いハンズフリーマイクを提供することを、その目的とする。
【課題を解決するための手段】
【０００５】
本考案の請求項１記載のハンズフリーマイクでは、マイク入力された音声を赤外線搬送波に乗せて周囲に放射する赤外発光部を備えたハンズフリーマイクであって、赤外発光部を顔の両側に分けて配設したこと、を特徴としている。
本考案の請求項２記載のハンズフリーマイクでは、頭に掛けるヘッドアームの両端に顔の左右側面に当接する左側の電気ボックス及び右側の電気ボックスを設け、一方の電気ボックスに直接またはマイクアームを介してマイクを設置し、左側の電気ボックスに左側方の指向特性と、前方（または後方）の指向特性を合わせた指向特性を有する左側赤外発光部を装備し、右側の電気ボックスに右側方の指向特性と、後方（または前方）の指向特性を合わせた指向特性を有する右側赤外発光部を装備し、更に、マイク入力された音声に基づき搬送波を変調した変調搬送波信号で前記２つの赤外発光部を駆動する電気回路を、前記２つの電気ボックスの一方に装備するか、または両方の電気ボックスに回路を分けて装備したこと、を特徴としている。
請求項３記載のハンズフリーマイクでは、左側赤外発光部は左側方の指向特性と、前方及び後方の指向特性を合わせた指向特性を有するようにし、右側赤外発光部は右側方の指向特性と、前方及び後方の指向特性を合わせた指向特性を有するようにしたこと、を特徴としている。
請求項４記載のマイクでは、ヘッドアームの内、電気ボックス近くに耳掛け部を設けたこと、を特徴している。
【考案の効果】
【０００６】
本考案によれば、赤外発光部を顔の左右に分けて配設したので、片側が偏って重くなったり、重心が高くなるのを回避でき、頭から外れ難くなる。
【図面の簡単な説明】
【０００７】
【図１】本考案の一実施例に係るハンズフリーマイクの装着状態を示す正面図である（実施例１）。
【図２】ハンズフリーマイクの電気的構成を示すブロック図である。
【図３】基板上での各赤外発光ＬＥＤの取り付け姿勢の説明図である。
【図４】ハンズフリーマイクを装着した状態での正面から見た左側赤外発光部の側方指向特性及び右側赤外発光部の側方指向特性の説明図である。
【図５】ハンズフリーマイクを装着した状態での正面から見た左側赤外発光部の側方指向特性に関係する各赤外発光ＬＥＤの個別指向特性及び右側赤外発光部の側方指向特性に関係する各赤外発光ＬＥＤの個別指向特性の説明図である。
【図６】ハンズフリーマイクを装着した状態での右側面から見た左側赤外発光部の前方指向特性と、この前方指向特性に関係する各赤外発光ＬＥＤの個別指向特性の説明図である。
【図７】ハンズフリーマイクを装着した状態での左側面から見た右側側赤外発光部の後方指向特性と、この後方指向特性に関係する赤外発光ＬＥＤの個別指向特性の説明図である。
【図８】ハンズフリーマイクを装着した状態での上から見た左側赤外発光部の指向特性及び右側赤外発光部の指向特性の説明図である。
【図９】ハンズフリーマイクを装着した状態での上から見た左側赤外発光部の各赤外発光ＬＥＤの個別指向特性及び右側赤外発光部の各赤外発光ＬＥＤの個別指向特性の説明図である。
【考案を実施するための最良の形態】
【０００８】
以下、本考案の最良の形態を実施例に基づき説明する。
【実施例１】
【０００９】
図１を参照して本考案の一実施例を説明する。図１は本考案に係るカラオケ用のハンズフリーマイクの装着状態を示す正面図である。
図１において、１はハンズフリーマイクであり、ユーザが頭に装着して使用する。このハンズフリーマイク１は、マイク入力された音声を赤外線搬送波に載せて周囲に放射する。ハンズフリーマイク１の内、２は後頭部から顔の左右両側面に掛ける弾性を有するヘッドアーム、３、４はヘッドアームの左右端部に装着された左側電気ボックス及び右側電気ボックス、５は口元に配設されるマイク、６は左側電気ボックス３に設けられて先端にマイク５が取り付けられたマイクアームである。ヘッドアーム２は左側電気ボックス３、右側電気ボックス４の近くが半円状に折曲されて耳掛け部７、８が形成されている。左側電気ボックス３は左耳の斜め下前方の顔に当接し、右側電気ボックス４は右耳の斜め下前方の顔に当接する。
【００１０】
図２はハンズフリーマイク１の電気的構成を示すブロック図である。
図２の内、１０は左側電気ボックス３に設けられた左側赤外発光部であり、赤外発光ＬＥＤ１１〜１６から成る。２０は右側電気ボックス４に設けられた右側赤外発光部であり、赤外発光ＬＥＤ２１〜２６から成る。赤外発光ＬＥＤ１１〜１６、２１〜２６はここでは半角値±２５°とする。３０はマイク入力された音声信号のＡ／Ｄ変換を行うＡ／Ｄ変換部、３１はＡ／Ｄ変換後のディジタル音声信号を所定の符号化方式で符号化する符号化部、３２は搬送波信号を発生する搬送波発生部、３３は符号化信号で搬送波を変調し変調搬送波信号を作成する変調部、３４は変調部３３の出力信号に基づき各赤外発光ＬＥＤ１１〜１６、２１〜２６を同時駆動し、音声を乗せた赤外線の変調搬送波を周囲に発射させる駆動部である。左側赤外発光部１０、Ａ／Ｄ変換部３０、符号化部３１、搬送波発生部３２、変調部３３、駆動部３４は左側電気ボックス３に内蔵された基板１７に装備されている。右側赤外発光部２０は右側電気ボックス４に内蔵された基板２７に装備されている。
各赤外発光ＬＥＤ１１〜１６、２１〜２６から発射された赤外線はカラオケルームの所定個所に設置された受光部にて受光され、復調、復号、Ｄ／Ａ変換の各処理を経て元の音声信号に戻される。
【００１１】
基板１７、２７での各赤外発光ＬＥＤ２１〜２６の取り付け姿勢を図３（１）、（２）に示す。ハンズフリーマイク１を頭に装着したとき、左側発光部１０の３つの赤外発光ＬＥＤ１１〜１３の群が全体で顔の左側方の指向特性を有し、赤外発光ＬＥＤ１４〜１６の群が全体で顔の前方の指向特性を有するように各赤外発光ＬＥＤ１１〜１６が基板１７に対し向きを変えて装着されている。また、ハンズフリーマイク１を頭に装着したとき、右側赤外発光部２０の３つの赤外発光ＬＥＤ２１〜２３の群が全体で顔の右側方の指向特性を有し、赤外発光ＬＥＤ２４〜２６の群が全体で顔の後方の指向特性を有するように各赤外発光ＬＥＤ２１〜２６が基板２７に対し向きを変えて装着されている。これにより、ユーザが歌いながら体の向きを様々に変えても、常に、１以上の赤外発光ＬＥＤから発射した赤外線が所定個所に設置された受光部に受光されるようになっている。
【００１２】
ハンズフリーマイク１を頭に装着した状態での正面から見た左側赤外発光部１０の各赤外発光ＬＥＤ１１〜１３の合成指向特性と個別の指向特性を図４の右側部分と図５の右側部分に示し、ハンズフリーマイク１を頭に装着した状態での正面から見た右側赤外発光部２０の各赤外発光ＬＥＤ２１〜２３の合成指向特性と個別の指向特性を図４の左側部分と図５の左側部分に示す。
またハンズフリーマイク１を頭に装着した状態での左側面から見た左側赤外発光部１０の各赤外発光ＬＥＤ１４〜１６の合成指向特性と個別指向特性を図６（１）と図６（２）に示し、ハンズフリーマイク１を頭に装着した状態での右側面から見た右側赤外発光部２０の各赤外発光ＬＥＤ２４〜２６の合成指向特性と個別指向特性を図７（１）と図７（２）に示す。
更にハンズフリーマイク１を頭に装着した状態での平面的に見た左側赤外発光部１０の各赤外発光ＬＥＤ１１〜１６の合指向特性と右側赤外発光部２０の各赤外発光ＬＥＤ２１〜２６の合指向特性を図８に示し、ハンズフリーマイク１を頭に装着した状態での平面的に見た左側赤外発光部１０の各赤外発光ＬＥＤ１１〜１６の個別指向特性と右側赤外発光部２０の各赤外発光ＬＥＤ２１〜２６の個別指向特性を図９に示す。
【００１３】
この実施例によれば、ユーザの周囲に赤外線搬送波を放射する赤外発光部を左側と右側に分けて顔の左右に配設したので、ハンズフリーマイク１の片側が偏って重くなったり、重心が高くなるのを回避でき、頭から外れ難くなる。
また、ハンズフリーマイク１を頭に装着したとき、左側赤外発光部１０が全体で顔の左側方の指向特性と前方の指向特性を有し、右側赤外発光部２０が全体で顔の右側方の指向特性と後方の指向特性を有するので、ユーザが歌いながら体の向きを様々に変えても、常に、１以上の赤外発光ＬＥＤから発射した赤外線の搬送波が所定個所に設置された受光部に受光されるようになっている。
また、ヘッドアーム２の左側電気ボックス３、右側電気ボックス４の近くに耳掛け部７、８を設け、左耳と右耳に掛けるようにしたことにより、一層、頭から外れ難くなる。
【００１４】
なお、上記した実施例では、左側赤外発光部が全体で顔の左側方の指向特性と前方の指向特性を有し、右側赤外発光部が全体で顔の右側方の指向特性と後方の指向特性を有するようにしたが、反対に左側赤外発光部が全体で顔の左側方の指向特性と後方の指向特性を有し、右側赤外発光部が全体で顔の右側方の指向特性と前方の指向特性を有するようにしたり、赤外発光ＬＥＤを増設して、左側赤外発光部が全体で顔の左側方の指向特性と前方及び後方の指向特性を有し、右側赤外発光部が全体で顔の右側方の指向特性と前方及び後方の指向特性を有するようにしても良い。
また、Ａ／Ｄ変換部、符号化部、搬送波発生部、変調部、駆動部の電気回路を左側電気ボックスに内蔵したが、右側電気ボックスに内蔵したり、回路を分けて左側電気ボックスと右側電気ボックスに内蔵するようにしても良い。
また、マイク入力されたアナログの音声信号で搬送波信号に対しＦＭ変調を掛け、このＦＭ変調搬送信号に基づき赤外発光ＬＥＤを駆動するようにしても良い。
【産業上の利用可能性】
【００１５】
本考案は、カラオケ、コンサート、プレゼンテーションなどで使用するマイクに適用可能である。
【符号の説明】
【００１６】
１  ハンズフリーマイク
２  ヘッドアーム
３  左側電気ボックス
４  右側電気ボックス
５  マイク
６  マイクアーム
７、８  耳掛け部
１０  左側赤外発光部
１１〜１６  赤外発光ＬＥＤ
１７、２７  基板
２０  右側赤外発光部
２１〜２６  赤外発光ＬＥＤ
【図１】
0003187725.tif 000003
【図２】
0003187725.tif 000004
【図３】
0003187725.tif 000005
【図４】
0003187725.tif 000006
【図５】
0003187725.tif 000007
【図６】
0003187725.tif 000008
【図７】
0003187725.tif 000009
【図８】
0003187725.tif 000010
【図９】
0003187725.tif 000011